(57)【要約】      （修正有）【課題】はがきを立てて身近かに机上でも鑑賞をするために考案のスタンド書はがきである。【解決手段】商品化によって社会に広く愛用を求め度い。【選択図】図１  図２
0003112073.tif 000002
【実用新案登録請求の範囲】
【請求項１】
書はがきは今迄に例のない通信はがきとして考案他の追従を免がれるために実用新案登録の申請をいたします。
イ、毛筆書きで仕上げた語句美術印刷ではがきに戴せた美しい和紙を使用する小型の美術作品である。
ロ、禅林の名言・俳句の他漢詩から素材を集めて書道哲学の世界を解り易く提示して人々の共感を求める書はがきである、文字の生命力を感じ得て面白い。
ハ、一般家庭に床の間がなくても書道展会場に行かずとも書作品を鑑賞できて手軽な点で生活の必儒品となり儒用を伸ばすことが最終目的であるが、額に数枚を入れインテリア用品としても重要な位置を占める。その内容は昨今の日本語ばなれや、道徳の退廃の回復にも役立せたいと考える。
【考案の詳細な説明】
【技術分野】
【０００１】  出雲の和紙はがきに高島オリジナルの作品を美術印刷する工夫をこらした。
〔背景の技術〕【０００２】  官製はがきに墨書すると水に濡れた場合文字が流れたり、にじんだりしたので活版印刷に改善した。
〔考案の開示〕
〔考案が解決しようとする課題〕【０００３】  文字には生命力があり一字一語、二字一語の持つ意味は生活そのものを示唆するものが多い、道徳性と日本語ばなれの回復に役立たせたい。
〔考案を解決するための手段〕【０００４】  多数の人に見て貰うことで広く認識を呼び起すことが重要である。ホテル、会社のサービス用品として、また文具店にも引合いを求める、パーティの記念品のひとつに利用を求めて行く。
〔考案の効果〕【０００５】  一般家庭に床の間が無くても書道展会場に行かずとも日常の通信活動による心の交流に浸透して心の落ち着きを得る事ができる、額に数枚入れてインテリア用品としても利用可能である。廉価で書道美術の鑑賞を楽しめる。
〔考案を実施するための形態〕【０００６】  はがきの表面宛名書きの面を縦１／２に区切り下段に消息文を書く、裏面全体に作品を印刷する。
〔実施例〕【０００７】通信用はがきとして商品化すると共に各方面に営業を開始する。
【図面の簡単な説明】
【０００８】〔図１〕作品を書いた裏面図と表面郵便はがきの正面図
〔図２〕仮名の俳句の作品正面図と郵便はかきの表面図
いづれも実寸の１／２
【図１】
0003112073.tif 000003
【図２】
0003112073.tif 000004
【手続補正書】
【提出日】平成16年6月2日(2004.6.2)
【手続補正１】
【補正対象書類名】実用新案登録請求の範囲
【補正対象項目名】全文
【補正方法】変更
【補正の内容】
【実用新案登録請求の範囲】
【請求項１】
スタンド式書はがきは縦型，横型，共に図面の点線を表方向と裏方向に折り曲げるとスタンドの脚の部分が出来て立てるとインテリアを兼ねる、スタンド式書はがきとして考案。
【手続補正２】
【補正対象書類名】明細書
【補正対象項目名】全文
【補正方法】変更
【補正の内容】
【考案の詳細な説明】
【技術分野】
【０００１】図面のようにスタンドの脚をつけたはがきで既座にインテリアの小作品として役立つ、スタンド式書はがきである。
【背景の技術】
【０００２】作品が水に濡れると墨色が流れるため活版印刷に改善した。
【考案の開示】
【考案が解決しようとする課題】
【０００３】文字には生命力があって一字一語、二字一語の意味その内容は日常生活を示唆する働きがあって心を豊かにする、スタンド書はがきである
【考案の効果】
【０００４】通信性とインテリア性を即座に兼ね備えたスタンド式書はがきである。
【考案を実施するための形態】
【０００５】はがきの表面の宛名書きの面を横に区切って下段に消息文を書く。裏面全面に作品を印刷する。下部の折り目線を前後に折り曲げてはがきを立てる。
【実施例】
【０００６】商品化するために各方面に紹介して販路を求める
【手続補正３】
【補正対象書類名】図面
【補正対象項目名】全図
【補正方法】変更
【補正の内容】
【図１】
0003112073.tif 000005
【図２】
0003112073.tif 000006
【手続補正書】
【提出日】平成16年9月15日(2004.9.15)
【手続補正１】
【補正対象書類名】実用新案登録請求の範囲
【補正対象項目名】全文
【補正方法】変更
【補正の内容】
【実用新案登録請求の範囲】
【請求項１】
スタンド式書はがきは從型、横型、共に図面の点線を表方向と裏方向に折り曲げるとスタンドの脚の部分が出来て立てるとインテリアを兼ねる、スタンド式書はがきとして考案。
【手続補正２】
【補正対象書類名】明細書
【補正対象項目名】全文
【補正方法】変更
【補正の内容】
【考案の詳細な説明】
【技術分野】
【０００１】図面のようにスタンドの脚をつけたはがきで既座にインテリアの小作品として役立つ、スタンド式書はがきである。
【背景の技術】
【０００２】作品が水に濡れると墨色が流れるため活版印刷に改善した。
【考案の開示】
【考案が解決しようとする課題】
【０００３】文字には生命力があって一字一語、二字一語の意味その内容は日常生活を示唆する仂らきがあって心を豊かにする、スタンド式書はがきである。
【考案の効果】
【０００４】通信性とインテリア性を即座に兼ね備えたスタンド式書はがきである。
【考案を実施するための形態】
【０００５】はがきの表面の宛名書きの面を横に区切って下段に消息文を書く。裏面全面に作品を印刷する。下部の折り目線を前後に折り曲げてはがきを立てる。
【実施例】
【０００６】商品化するために各方面に紹介して販路を求める
【手続補正３】
【補正対象書類名】図面
【補正対象項目名】全図
【補正方法】変更
【補正の内容】
【図１】
0003112073.tif 000007
【図２】
0003112073.tif 000008
【手続補正書】
【提出日】平成17年3月3日(2005.3.3)
【手続補正１】
【補正対象書類名】手続補正書
【補正対象項目名】手続補正１
【補正方法】削除
【補正の内容】
【手続補正２】
【補正対象書類名】手続補正書
【補正対象項目名】手続補正２
【補正方法】変更
【補正の内容】
【手続補正２】
【補正対象書類名】明細書
【補正対象項目名】全文
【補正方法】変更
【補正の内容】
【考案の詳細な説明】
【技術分野】
【０００１】図面のようにスタンドの脚をつけたはがきで即座にインテリアの小作品として役立つ、スタンド式書はがきである。
【背景の技術】
【０００２】作品が水に濡れると墨色が流れるため活版印刷に改善した。
【考案の開示】
【考案が解決しようとする課題】
【０００３】文字には生命力があって一字一語、二字一語の意味その内容は日常生活を示唆する働きがあって心を豊かにする、スタンド書はがきである．
【考案の効果】
【０００４】通信性とインテリア性を即座に兼ね備えたスタンド式書はがきである。
【考案と実施するための形態】
【０００５】はがきの表面の宛名書きの面を横に区切って下段に消息文を書く。裏面全面に作品を印刷する。下部の折り目線を前後に折り曲げてはがきを立てる。
【実施例】
【０００６】商品化するために各方面に紹介して販路を求める。
【図面の簡単な説明】
【０００７】
【図１】は正面図である。
【図２】は側面図で折り返して足の部分を付けた。
【手続補正３】
【補正対象書類名】手続補正書
【補正対象項目名】手続補正３
【補正方法】削除
【補正の内容】
【手続補正４】
【補正対象書類名】手続補正書
【補正対象項目名】手続補正４
【補正方法】削除
【補正の内容】
【手続補正５】
【補正対象書類名】手続補正書
【補正対象項目名】手続補正５
【補正方法】追加
【補正の内容】
【手続補正５】
【補正対象書類名】手続補正書
【補正対象項目名】手続補正４
【補正方法】削除
【補正の内容】